(57)【特許請求の範囲】
【請求項１】
蛍光灯に取り付けて、室内空気を循環させ、プレート１に空気を噴出する機能を有する外付殺菌空気清浄装置であって、
プレート１の光源側部分１２には紫外線透過塗料の塗布あるいは未塗布として、当該プレート１の光触媒塗布部分１３には紫外線活性光触媒又は可視光活性光触媒の何れかを塗布し若しくは両方の光触媒を塗り重ねの無いように塗布し、蛍光灯からの入射光が内部で反射しプレート全面で拡散発光し易くするために、当該プレート１の光源側端面を略半円形状に丸め加工又は略台形形状に面取り加工若しくは略半円形状の溝加工又は略逆三角形状の溝加工をした形状を有するプレート１の複数枚をプレート固定箱２で蛍光灯の回りに配置した外付殺菌空気清浄装置。
【請求項２】
プレート１を一方のプレート固定箱２から他方のプレート固定箱２に向う方向に波形状に連続曲げ加工したプレート１を使用した請求項１記載の外付殺菌空気清浄装置。
【請求項３】
スリット１５を通じてプレート固定箱２に挿入するプレート１の端面の形状を略半円形状の丸め加工又は略台形形状の面取り加工若しくは略半円形状の溝加工又は略逆三角形状の溝加工を施し、当該プレート固定箱２の内部に紫外線ランプ照射部品を取り付けて、当該固定箱２のスリット１５に挿入固定した複数の当該プレート１の当該挿入端面に紫外線を照射し、当該プレート１に塗布した光触媒を活性化させる機能を有する請求項１又は請求項２記載の外付殺菌空気清浄装置。
【請求項４】
プレート１の光触媒塗布部分１３に溝１４を施したプレート１を有する請求項１〜３のいずれか１項に記載の外付殺菌空気清浄装置。
【請求項５】
プレート１の光触媒塗布部分１３に光触媒を塗布する部分と未塗布の部分が塗り重ねの無いように交互に塗布しあるいは市松模様になるように光触媒を塗布したプレート１を有する請求項１〜３のいずれか１項に記載の外付殺菌空気清浄装置。
【請求項６】
プレート１の光触媒塗布部分１３に紫外線活性光触媒を塗布する部分と可視光活性光触媒を塗布する部分が交互にあるいは市松模様になるように光触媒を塗布したプレート１を有する請求項１〜３のいずれか１項に記載の外付殺菌空気清浄装置。
【請求項７】
光源８から見て、プレート１の光源側部分１２とは対極にある同一プレート１の端面部１７において光を内部反射しやすくするために、光源８から見て対極にある当該端面部分を略半円状の丸め加工又は略台形形状の面取り加工若しくは略半円状の溝加工又は略逆三角形状の溝加工を施した表面を鏡面加工又は有色塗装した部分１８を有する請求項１〜６のいずれか１項に記載の外付殺菌空気清浄装置。
【発明の詳細な説明】
【技術分野】
【０００１】
本発明は、既存の照明器具等に取り付けが可能な空気清浄装置に関するものである。
【背景技術】
【０００２】
室内の空気中に浮遊する塵埃や花粉、ハウスダストに対して高機能フィルターによる捕集機能のほか、空気中に含まれる細菌などは空気清浄器で生成されるイオンによる減菌や紫外線照射による滅菌が行なわれている。しかし、据え置き型の空気清浄器は、装置自体の大きさから、比較的広い専有面積が必要という欠点があった。
【０００３】
そのため、実開昭６３−２６９１４号公報や特開平９−２１３１０９号公報、特開平１１−２６７４２７号公報で示されているように、天井取り付けの蛍光灯と一体となった空気清浄装置が創案され、特開平８−１４１０６３号公報や特開２００１−２１０１１１８号公報、特開２００１−２１５９０９号公報で示されているように、紫外線ランプと光触媒を組み合わせた蛍光灯による殺菌装置などが創案されている。
【０００４】
しかし、既存の天井取り付けの直管蛍光灯を取り換えることなく、その物を有効に活用しうることが難しいものとなっている。
【先行技術文献】
【特許文献】
【０００５】
【特許文献１】実開昭６３−    ２６９１４号公報
【特許文献２】特開平  ９−  ２１３１０９号公報
【特許文献３】特開平１１−  ２６７４２７号公報
【特許文献４】特開平  ８−  １４１０６３号公報
【特許文献５】特開２００１−２１０１１８号公報
【特許文献６】特開２００１−２１５９０９号公報
【発明の概要】
【発明が解決しようとする課題】
【０００６】
解決しようとする問題点は、空気中に含まれる細菌等と蛍光灯などの光源からの紫外線や可視光によって活性化された紫外線活性光触媒や可視光活性光触媒との接触面積や接触機会を増やすことにより、空気浄化を図る点である。
【課題を解決するための手段】
【０００７】
本発明は、透明なプレートの内部を紫外線や可視光の光路としての役目とともに、光源に対峙する当該プレートの端面から入射する光が外部表面に向って拡散しやすいように端面の形状を半円状の丸め加工等を施し、当該透明なプレートの表面に塗布した光触媒を活性化させて空気中に浮遊するウイルスや細菌を滅菌することを最も主要な特徴とする。
【発明の効果】
【０００８】
本発明の空気清浄装置は、複数枚の透明なプレート１を蛍光灯、特に天井取り付けの直管蛍光灯７の蛍光灯８の取り付け面側に放射状に配置することで、透明なプレート１の蛍光灯８からの入射光側の光源側部分12は、紫外線透過塗料の塗布あるいは未塗布とし、蛍光灯８からの紫外線や可視光線が透明なプレート1の内部で拡散し、当該プレートの光触媒塗布部分１３に、紫外線活性光触媒あるいは可視光活性光触媒を塗布すれば、蛍光灯８からの入射光が透明なプレート１の内部で拡散し、透明なプレート１の表面に塗布した紫外線活性光触媒あるいは可視光活性光触媒が活性化され、透明なプレート１近傍の空気が浄化されるという効果があり、また、プレート固定箱２の空気吹出し孔１６から透明なプレート１近傍の空気が撹拌され、空気と光触媒との接触機会が増加し、空気浄化が促進されるという利点があり、従来の直管蛍光灯に外付することで、天井といういわゆるデッドスペースの活用という利点がある。さらに、透明なプレート１の光源側端面を丸め加工や略半円状に溝加工等を施すことにより、蛍光灯の光源から入射した紫外線や可視光が透明なプレート１内部で屈折拡散し、透明なプレート１の表面に塗布した光触媒を広く活性化させる効果がある。
【図面の簡単な説明】
【０００９】
【図１】図１は透明なプレート１の光源側端面を丸め加工して略半円状の断面形状を有する透明なプレート１の概念斜視図である。（実施例１）
【図２】図２は図１に示す透明なプレート１の光源側部分１２に紫外線透過塗料を塗布し又は未塗布とし、透明なプレート１の光触媒塗布部分１３に紫外線活性光触媒あるいは可視光活性光触媒を塗布し、蛍光灯からの光が透明なプレート１の内部光路に沿って拡散し、当該プレート１の表面で発光する様子を示した概念断面図である。（実施例１）
【図３】図３は図１に示す透明なプレート１を複数枚取り付けた外付殺菌消臭空気清浄装置の斜視図である。（実施例１）
【図４】図４は天井直管蛍光灯に取り付けた図３に示す外付殺菌消臭空気清浄装置の斜視図である。（実施例１）
【図５】図５は図４に示す天井直管蛍光灯に取り付けた外付殺菌消臭空気清浄装置の主要部品の組み立て分解図である。（実施例１）
【図６】図６は図３に示す外付殺菌消臭空気清浄装置の側面図である。（実施例１）
【図７】図７は図３に示す外付殺菌消臭空気清浄装置の正面図である。（実施例１）
【図８】図８は図３に示す外付殺菌消臭空気清浄装置の平面図である。（実施例１）
【図９】図９は図３に示す外付殺菌消臭空気清浄装置の底面図である。（実施例１）
【図１０】図１０はプレート固定箱２の説明図である。（実施例１）
【図１１】図１１は固定箱用カバー３の説明図である。（実施例１）
【図１２】図１２は図１に示す透明なプレート１のスリット１５に取り付け挿入する両端面を丸め加工して略半円状とした透明なプレート１の概念斜視図である。（実施例１）
【図１３】図１３は透明なプレート１の光源側端面を丸め加工して略半円状の断面形状を有する透明なプレート１を一方の固定箱から他方の固定箱に向う長手方向に沿って波形状となるように連続曲面加工したプレートの概念斜視図である。（実施例２）
【図１４】図１４は図１３に示す透明なプレート１を複数枚使用した外付殺菌消臭空気清浄装置の斜視図である。（実施例２）
【図１５】図１５は天井直管蛍光灯に取り付けた図１４に示す外付殺菌消臭空気清浄装置の斜視図である。（実施例２）
【図１６】図１６は図１４に示す外付殺菌消臭空気清浄装置の側面図である。（実施例２）
【図１７】図１７は図１４に示す外付殺菌消臭空気清浄装置の正面図である。（実施例２）
【図１８】図１８は図１４に示す外付殺菌消臭空気清浄装置の平面図である。（実施例２）
【図１９】図１９は図１４に示す外付殺菌消臭空気清浄装置の底面図である。（実施例２）
【図２０】図２０は、図１３に示す透明なプレート１のスリット１５に取り付け挿入する両端面を丸め加工して略半円状とした透明なプレート１の概念斜視図である。（実施例２）
【図２１】図２１は矩形断面の透明なプレート１の光源側部分１２に紫外線透過塗料を塗布し又は未塗布とし、透明なプレート１の光触媒塗布部分１３に紫外線活性光触媒あるいは可視光活性光触媒を塗布し、蛍光灯からの光が透明なプレート１の内部光路に沿って拡散し、当該プレート１表面で発光する様子を示した概念断面図である。（実施例３）
【図２２】図２２は図２１に示す断面形状を有する透明なプレート１の概念斜視図である。（実施例３）
【図２３】図２３は図２１に示す断面形状を有する透明なプレート１を一方の固定箱から他方の固定箱に向う長手方向に沿って波形状となるように連続曲面加工した概念斜視図である。（実施例４）
【図２４】図２４は光源側の透明なプレート１の端面を略半円状に溝加工した透明なプレート１の光源側部分１２に紫外線透過塗料を塗布し又は未塗布とし、透明なプレート１の光触媒塗布部分１３に紫外線活性光触媒あるいは可視光活性光触媒を塗布した透明なプレート１の概念断面図である。（実施例５）
【図２５】図２５は光源側の透明なプレート１の端面を略台形形状に面取り加工した透明なプレート１の光源側部分１２に紫外線透過塗料を塗布し又は未塗布とし、透明なプレート１の光触媒塗布部分１３に紫外線活性光触媒あるいは可視光活性光触媒を塗布した透明なプレート１の概念断面図である。（実施例６）
【図２６】図２６は光源側の透明なプレート１の端面を略三角形状に溝加工した透明なプレート１の光源側部分１２に紫外線透過塗料を塗布し又は未塗布とし、透明なプレート１の光触媒塗布部分１３に紫外線活性光触媒あるいは可視光活性光触媒を塗布した透明なプレート１の概念断面図である。（実施例７）
【図２７】図２７は図１２で示す透明なプレート１の光触媒塗布部分１３側の両面に複数の溝１４を有する透明なプレート１の斜視図である。（実施例８）
【図２８】図２８は図１２で示す透明なプレート１の光触媒塗布部分１３側の両面に一定の間隔をあけて光触媒を塗布した透明なプレート１の斜視図である。（実施例９）
【図２９】図２９は図１２で示す透明なプレート１の光触媒塗布部分１３側の両面に光触媒を塗布した部分と未塗布の部分が市松模様となる様に光触媒を塗布した透明なプレート１の斜視図である。（実施例１０）
【図３０】図３０は光源８から見て、図２に示すプレート１の光源側部分１２とは対極にある端面１７を略半円状に丸め加工した表面を鏡面塗装したプレート１の概念断面図である。（実施例１１）
【発明を実施するための形態】
【００１０】
透明なプレート1の光源側部分１２に紫外線透過塗料を塗布し又は未塗布とし、それ以外の光触媒塗布部分１３には、酸化チタン等の紫外線活性光触媒あるいは可視光活性光触媒を塗布した場合には、光源側からの光線が当該透明なプレート１の内部に入射し、更に内部で光線が内部反射・外部拡散することで、当該透明なプレート1の表面に塗布した光触媒が活性化され、光触媒近傍の空気が清浄化されることが可能となる。
【実施例１】
【００１１】
図１に示すように、天井取り付け蛍光灯の直管ランプからの光源側の透明なプレート１の端面の形状を略半円状に丸め加工して、その近傍部位である透明なプレート1の光源側部分１２には紫外線透過塗料を塗布し又は未塗布とし、当該プレート１の光触媒塗布部分１３には、酸化チタン等の紫外線活性光触媒又は可視光活性光触媒を塗布すれば、図２に示すように、直管蛍光灯などの光源から透明なプレート１へ照射される光線が、光源側半円状端面から当該透明なプレート内部へ入射し、更に当該透明なプレート内部で屈折拡散し、光触媒を塗布した部位の光触媒が活性化される。なお、当該透明なプレート１をアクリル樹脂等で成形する際に、アルミ箔の小片を混練すれば、透明なプレート内部に入射した光線が、当該プレート内部のアルミ箔の小片によって乱反射し、当該透明なプレート１に塗布した光触媒の活性が高められる効果がある。また、アクリル樹脂以外に、ポリカーボネート樹脂や塩化ビニール等も透明なプレート１の材料として使用することも可能であり、透明なプレートが好ましいが、入射光の拡散が可能な乳白色等の不透明なプレートも使用することが可能である。
【００１２】
図３は、当該透明なプレート１を複数枚取り付けた外付殺菌消臭空気清浄装置の斜視図であり、図４は、天井取り付け直管蛍光灯本体へ組み付けた当該装置の斜視図であり、図５は、当該装置の主要部品の分解組み立て図を示している。図１０に示すように、プレート固定箱２には透明なプレート１を複数枚円弧配列するためのスリット１５が設けられており、当該スリットとスリットの間には、空気吹出し孔１６が設けられている。固定箱用カバー３には、図１１に示すようにフィルター５を嵌めこむための凹部が設けられており、図５に示すように、ファンモーター４とフィルター５を取付けることで、フィルター５を通して微粒物質を除去された空気がファンモーター４によって、プレート固定箱２の内部空洞に取り込まれ、さらに、それぞれのプレート固定箱２の空気吹出し孔から透明なプレート１に挟みこまれた空間に対向噴出されることで、活性化された光触媒と効果的に撹拌させることが可能となる。
【００１３】
当該透明なプレート１をプレート固定箱２に円弧状に配列取り付けするには、スリット１５に接着固定する以外に、当該透明なプレート１のプレート固定箱２に取り付ける側の端部を折り曲げ加工して、ネジ留めや接着すれば、当該プレート固定箱２にスリットを設ける必要はなく、スリットにこだわるものではない。また、直管蛍光灯だけではなく、ＬＥＤランプにも使用可能である。
【００１４】
プレート固定箱２の内部に紫外線ランプ９を配置した場合、複数枚数の透明なプレート１を当該固定箱２の内部にスリット１５を介して挿入した部分から紫外線が透明なプレート１の内部に入射し、さらに内部で紫外線が拡散し、透明なプレート１の表面に塗布した光触媒を活性化させることが可能となり、直管蛍光灯ランプ８を消灯していても、空気を浄化することが可能となる。また、図１２に示すように、当該スリット１５に挿入する透明なプレート１の端面を丸め加工して断面形状を略半円状にすれば、当該紫外線ランプ９からの光線が放射状に入射し、透明なプレート１の光触媒塗布部分１３の全面で光触媒が活性化される。
【００１５】
図６、図７、図８及び図９は、それぞれ図３に示す外付殺菌消臭空気清浄装置の側面図、正面図、平面図及び底面図を示している。
【実施例２】
【００１６】
図１３は、実施例１と同様に光源側部分１２には紫外線透過塗料を塗布し又は未塗布とし、当該プレート１の光触媒塗布部分１３には酸化チタン等の紫外線活性光触媒又は可視光活性光触媒を塗布した透明なプレート１であって、図２に示す断面形状を有する透明なプレート１を長手方向（ここでは、プレート固定箱２の一方から他方のプレート固定箱２に向う方向をいう。）に連続的に波形状になるように曲線曲げ加工を施したプレート形状を示した斜視図で、プレート固定箱２のスリット１５に挿入する箇所の長手方向形状は直線としている。この波形状とすることで、光触媒塗布部位の面積が広くなり、また、プレート固定箱２の空気吹出し孔からの空気が波形状に沿って撹拌されやすくなることで、空気浄化機能を高めることができる。
【００１７】
図１４は、複数枚の図１３に示す波形状の透明なプレート１をプレート固定箱２のスリット１５に挿入し円弧配列で固定した外付殺菌消臭空気清浄装置の斜視図を示し、図１５は、図１４に示す外付殺菌消臭空気清浄装置を天井取り付け直管蛍光灯本体７に装着した斜視図を示している。実施例１と同様に固定箱２の内部に紫外線ランプ９を配置し、更に図２０に示すようにスリット１５に挿入する透明なプレート１の端面を丸め加工して半円形状にすることにより、当該丸め加工端面から入射した紫外線が屈折拡散して光触媒塗布部分１３全面で光触媒が活性化される。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。また、当該挿入端面は、入射光の拡散がし易い形状であれば良く、丸め加工した半円形状に限るものではなく、台形形状の面取り加工や半円形状の溝加工あるいは逆三角形状の溝加工も可能である。
【００１８】
図１６、図１７、図１８及び図１９は、図１３に示す波形状の透明なプレート１を使用した外付殺菌消臭空気清浄装置の側面図、正面図、平面図及び底面図を示している。
【実施例３】
【００１９】
図２１に示すように、矩形断面を有する透明なプレート１の光源側部分１２には紫外線透過塗料を塗布し又は未塗布とし、当該プレート１の光触媒塗布部分１３には酸化チタン等の紫外線活性光触媒又は可視光活性光触媒を塗布した場合、蛍光灯から出た光線は透明なプレート１の内部に入射し、屈折拡散する。図２２は、図２１に示す断面形状を有する平板の透明なプレート１の斜視図である。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに直管蛍光灯だけではなく、ＬＥＤランプにも使用可能である。
【実施例４】
【００２０】
図２３に示す実施例は、実施例３に示す矩形断面を有する透明なプレート１を、更に、図１３と同様に、長手方向に向って波形状となるように連続的に曲げ加工をした透明なプレート１の斜視図を示し、紫外線透過塗料及び光触媒の塗布部位を概念的に示している。図２０に示すように、プレート固定箱２のスリット１５に挿入する挿入端面部位も丸め加工を行えば、プレート固定箱２に取り付けた紫外線ランプ９からの紫外線を効果的に透明なプレート１の内部へ入射拡散させることが可能となる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。
【実施例５】
【００２１】
図２４の実施例は、透明なプレート１の光源側端面を略半円状の丸め溝加工し、図１と同様に、光源から透明なプレート１の内部に入射した紫外線が拡散しやすい形状を示し、平板形状や波形状のプレートとして使用することができる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【実施例６】
【００２２】
図２５の実施例は、透明なプレート１の光源側端面を略台形形状に面取り加工し、透明なプレート内部に入射した紫外線拡散効果を図ったものである。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、直管蛍光灯だけではなく、ＬＥＤランプにも使用可能である。
【実施例７】
【００２３】
図２６の実施例は、透明なプレート１の光源側端面を略逆三角形状に溝加工し、透明なプレート内部に入射した紫外線拡散効果を図ったものである。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【実施例８】
【００２４】
図２７の実施例は、実施例１に示す透明なプレート１の光触媒塗布部分13側の両面に一定の間隔の溝１４の加工を施したプレートであり、当該溝１４に光触媒を塗布すれば、光触媒の活性化面積を増やす効果がある。また、当該溝１４に光触媒を塗布しない場合には、光源側部分１２からの入射光が当該溝部分から拡散・放射され、光触媒の活性を促す効果がある。溝１３は、格子状の溝形状とすることも有効であり、図２７に示す平行溝に限るわけではない。また、実施例１以外の実施例にも当該プレートは併用可能であり、光触媒塗布部分１３には、紫外線活性光触媒と可視光活性光触媒を交互に塗布することにより、いろいろな光触媒の特性を持たせることができる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【実施例９】
【００２５】
図２８の実施例は、実施例１に示す透明なプレート１の光触媒塗布部分１３に、一定間隔で光触媒塗布部分と未塗布部分とが交互となるように光触媒を塗布したプレートであり、当該未塗布部分からの放射光により隣り合うプレート１の表面に塗布した光触媒の活性を高める効果が得られる。また、実施例１以外の実施例にも当該プレートは併用可能であり、未塗布部分にも種類の異なる光触媒を塗布することにより、光触媒塗布部分１３には、いろいろな光触媒の特性を持たせることができる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【実施例１０】
【００２６】
図２９の実施例は、実施例１に示す透明なプレート１の光触媒塗布部分１３に、光触媒塗布部分と未塗布部分が市松模様となるように光触媒を塗布したプレートであり、当該未塗布部分からの放射光により隣り合うプレート１の表面に塗布した光触媒の活性を高める効果が得られる。また、実施例１以外の実施例にも当該プレートは併用可能であり、未塗布部分にも種類の異なる光触媒を塗布することにより、光触媒塗布部分１３には、いろいろな光触媒の特性を持たせることができる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【実施例１１】
【００２７】
図３０の実施例は、光源８から見て、実施例１に示す透明なプレート１の光源側部分１２とは対極にある当該同一プレートの端面部１７も、略半円形状に丸め加工又は略台形形状に面取り加工若しくは略半円形状に溝加工又は略逆三角形状に溝加工をした端面部分が鏡面となるように、蒸着アルミメッキ等による鏡面加工あるいはアルミ色等の鏡面塗装を行なえば、光源側部分１２からの入射光が図３０に示す光路を進み、プレート内部で反射や表面への透過をしながら、さらには、当該鏡面加工した部分１８で内部反射し、入射光が内部拡散しやすく、光触媒塗布部分１３の光触媒が活性化されやすくなる。また、鏡面加工した部分１８は、プレート１内部の光が反射すれば良いので、鏡面加工や鏡面塗装にこだわるものではなく、光の反射率の高い白色等の有色塗装であっても良く、実施例１以外の実施例にも当該プレートは併用可能であり、光触媒塗布部分１３には、紫外線活性光触媒と可視光活性光触媒を交互に塗布することにより、いろいろな光触媒の特性を持たせることができる。なお、この実施例においても、アルミ箔の小片を混練したアクリル樹脂等を使用してもよく、ポリカーボネート樹脂や塩化ビニール等も透明なプレート１の材料として使用することも可能であり、透明なプレートが好ましいが、入射光の拡散が可能な乳白色等の不透明なプレートも使用することが可能である。また、実施例１と同様に、当該透明なプレート１の固定方法は、スリット１５にこだわるものではなく、さらに、直管蛍光灯だけではなく、ＬＥＤランプにも使用可能である。
【産業上の利用可能性】
【００２８】
本発明の外付殺菌消臭空気清浄装置は、会社や工場の天井取り付けの照明用として多く用いられている直管蛍光灯に取り付けることができるので、会社の事務所内や工場内の空気中に含まれるインフルエンザ菌などの細菌を紫外線又は可視光で活性化した光触媒へ導くことで滅菌することができる。また、卓上のスタンド型蛍光灯にも装着可能なサイズにした本発明の外付殺菌消臭空気清浄装置を用いれば、勉強部屋の室内環境を清浄化することができる。さらに、プレート固定箱２内部にブラックライト等の紫外線ランプの照明を組み込めば、蛍光灯を使用しない場合でも、空気浄化機能を継続させることが可能となる。ほかに、本発明の装置を牛舎や鶏舎などに使用されている直管蛍光灯に使用すれば、口蹄疫ウイルスや鳥インフルエンザウイルスも滅菌することで、これらの感染予防に役立てることが可能となる。
【符号の説明】
【００２９】
１    プレート
２    プレート固定箱
３    固定箱用カバー
４    ファンモーター
５    フィルター
６    フィルターカバー
７    天井取り付け直管蛍光灯器具本体
８    直管蛍光ランプまたは直管ＬＥＤランプ
９    紫外線ランプ
１０  紫外線ランプ用蛍光灯器具本体
１１  ネジ
１２  プレート１の光源側部分
１３  プレート１の光触媒塗布部分
１４  溝
１５  スリット
１６  空気吹出し孔
１７  光源８から見てプレート１の光源側部分とは対極にある同一プレート１の端面部
１８  鏡面加工した部分
【図１】
0006366625.tif 000002
【図２】
0006366625.tif 000003
【図３】
0006366625.tif 000004
【図４】
0006366625.tif 000005
【図５】
0006366625.tif 000006
【図６】
0006366625.tif 000007
【図７】
0006366625.tif 000008
【図８】
0006366625.tif 000009
【図９】
0006366625.tif 000010
【図１０】
0006366625.tif 000011
【図１１】
0006366625.tif 000012
【図１２】
0006366625.tif 000013
【図１３】
0006366625.tif 000014
【図１４】
0006366625.tif 000015
【図１５】
0006366625.tif 000016
【図１６】
0006366625.tif 000017
【図１７】
0006366625.tif 000018
【図１８】
0006366625.tif 000019
【図１９】
0006366625.tif 000020
【図２０】
0006366625.tif 000021
【図２１】
0006366625.tif 000022
【図２２】
0006366625.tif 000023
【図２３】
0006366625.tif 000024
【図２４】
0006366625.tif 000025
【図２５】
0006366625.tif 000026
【図２６】
0006366625.tif 000027
【図２７】
0006366625.tif 000028
【図２８】
0006366625.tif 000029
【図２９】
0006366625.tif 000030
【図３０】
0006366625.tif 000031